(57)【要約】【課題】  スライス曲がり打球の発生が少なく正面に飛び易いウッド型ゴルフクラブを提供すること。【解決手段】  ウッド型クラブヘッドの打球面に凹曲面を採用してクラブヘッドの打球面による外向き回転の発生が少なくなるようにした。【選択図】図３
0003111550.tif 000002
【実用新案登録請求の範囲】
【請求項１】
ウッド型ゴルフクラブヘッド（１）の打球面（２）を打球方向に対して凹曲面にしてなるゴルフクラブヘッド。
【考案の詳細な説明】
【技術分野】
【０００１】  本考案はウッド型ゴルフクラブの構造に関するものである。
【背景技術】
【０００２】  ウッド型クラブは飛距離を伸ばす為のクラブとして一般に使用されるがアイアン型クラブに比して飛球方向の安定性が良くないと云われる。その対策として現在多く使用され普及しているウッド型ゴルフクラブとしてクラブヘッド部を大きくして慣性モーメントを大きくしクラブヘッドのブレを少なくする事による打球方向の安定を図ろうとするものや、打球面の材質や構造を変えて飛距離や方向性を向上させようと様様な工夫がなされている。  それらの工夫に関する参考技術文献例を下記に示す。
【特許文献１】  特開２００２−７７２号公報
【特許文献２】  特開２００２−３１５８５４号公報
【特許文献３】  特開２００２−８５６０３号公報
【特許文献４】  特開２００４−５３１号公報
【特許文献５】  特開２００４−２６７４３８号公報
【考案の開示】
【考案が解決しようとする課題】
【０００３】  一方ゴルフの初心者即ち技術的に打法の未熟な者がウッド型クラブで打つとその打球はスライス即ち打球時のクラブ回転方向と逆の外側方向即ち右打ち左回転ならば右方向にそれ曲がってしまう傾向が見られる、そしてその傾向はウッド型クラブのクラブヘッドが大型化しても解決されず、むしろその傾向は増大したようにも思われる。初心者即ち未熟者が打つとそのような傾向が見られると云う事は即ちウッド型クラブで自然に打つと打球はスライスするような構造的な特性があると考えられる。  そこで打法の未熟な者が打ってもスライスする事が少なく、打球の飛翔方向が打者の狙った方向に飛び易いウッド型ゴルフクラブを得る事を目的として考案した。
【課題を解決する為の手段】
【０００４】  打球がスライスするという事は打球が外向きに即ち右打ちならば飛翔方向に対して飛球が右回転する事による空気力学的な作用によるものであるが、その回転が発生する原因の最大のものとして考えられるものは打飛球方向に対するクラブの打球面の傾きによる球こすり効果によるものであり次いで打球時のクラブヘッドの回転によっても影響されると解析されている（参考文献例，ゴルフの物理，益田正美著）。
この観点から現在普及しているウッド型クラブの形状を見てみると添付、図１、図２に見られるようにウッド型クラブの打球面は打球方向に対して緩やかな凸面形状をしており且同ヘッド部に力を伝えるシャフトの取り付け部は打者側手前になっている。（尚右打者と左打者とは作動もクラブヘッドも対称形となり技術的な表現も異なってしまうので以下は右打者を想定した記述に統一する。）このようなクラブヘッドで打球する際に作用する力関係とクラブヘッドの挙動を考えると、先ずクラブを振り上げた上死点から球に当たる打球点までのヘッド加速時にはシャフトの取り付け支点Ｃに加速力ｆが働くとすればモーメント距離ｍだけ離れたクラブヘッドの重心Ｇの慣性力（更に風圧抵抗力も加わる）との間で右回転方向の回転モーメントｆ×ｍなる回転力が生じ従ってクラブヘッドは外開き即ち右ひねりの状態になりながら打球位置にいたることになる。  更にクラブヘッドが球に当たった瞬間から球がクラブヘッドを離れるまでの作用力とヘッドの挙動を考えてみると打球に当たったときクラブヘッドに生じる回転力はヘッドの重心Ｇと打点Ｐとの間のズレによって生じるモーメント力ではなく、重心Ｇに蓄積された慣性力ｉと打球位置でなお支点Ｃに加えられている力ｆとの合力ｉ＋ｆの作用点０との間のモーメント力（ｉ＋ｆ）×Ｌである。即ち打球時のヘッドの回転中心は重心Ｇ点ではなくそれよりもシャフトの支点よりの合力作用点０点となるので打点Ｐが合力作用点０より手前にこない限りクラブヘッドには右回転のモーメント力が働く事になり、図３に見られるようにその領域配分から見ても打球時にもクラブヘッドに右ひねりの回転力が作用する確率のほうが高くなる事になる。又打球面が凸曲面であればクラブシャフト付け根の支点Ｃと反対側即ちヘッドの先端になるほど打球面は右開きの角度が大きくなっている。  以上のように現在普及しているウッド型クラブヘッドによれば打球時打球面が右開き角度になりやすい傾向がありしかもクラブヘッドの先端方向ほどその傾向は強いことになる。  従ってこの傾向に対して先ず考えられる解決策は打球面をクラブに右ひねりの力がより強く作用するクラブの先端方向ほど左内向きになる曲面形状にする方法が考えられる。
【考案の効果】
【０００５】    以上のような考察のもと本考案ではクラブヘッドの打球面を先端方向ほど左内向きになる形状即ち打球面を凹曲面にして打球時右ひねり作用力が働く位置に球が当たっても打球面が右開き角度になる程度が少なくなるようにすれば、打球時に右開き角度の打球面で右回転を生じさせるような球こすり作用が発生する程度も減少し、飛球がスライス曲がりをする確率の少ないウッド型クラブヘッドを得るが出来る。
【考案を実施するための最良の形態】
【０００６】  本考案にもとずく最良の形態は、ウッド型ゴルフクラブをシャフトの軸心方向から見た場合その打球面がシャフトの取り付け部からヘッドの重心の正面位置付近までは曲率の小さい平面で重心の正面から外側先端に向かっては少しずつ曲率を増す凹曲面形状をなし且シャフト軸心側面方向即ち上下方向で見てもクラブのロフト（掬い角）面に対し重心Ｇの正面より上部は曲率の小さい平面で正面より下方に向かっては緩やかな凹曲面をなす打球面で構成されたウッド型ゴルフクラブである。  以下にその実施例を図を参照しながら説明する。
【実施例１】
【０００７】  図１はいわゆる一般的な右打ち用のウッド型クラブヘッド１を正面から見たものであり、図２は現在一般に普及している従来のクラブヘッド１’のＡ−Ａ方向矢視断面図であり、図３は本考案にもとずく実施例のウッド型クラブヘッド１の同様方向矢視断面図であり、打球面２が重心Ｇの正面付近より外側先端方向に向かって大きく凹曲面形状を成型している状態を示している。以上図２，図３の状態即ち従来型と考案品の場合とでゴルフ球３が同じような打点Ｐでクラブヘッドに衝突した場合を比較してみると両者とも同様なひねりモーメント（Ｉ＋ｍ）×Ｌなる力が作用して球が打球面を離れるまでの間に角度ｂだけヘッドがひねり回転し移動したそれぞれ仮想線で示す移動位置４及び４’の状態で見ても、打球面の開き角度は図２の従来のクラブヘッド１’の開き角度ａより図３の本考案実施例のクラブヘッド１の開き角度ｃのほうが明らかに小さい。  尚この際にもゴルフ球の打球面での微小な転がり動作などがありその効果は厳密には解析は出来ないが、より強く右開き回転モーメント力が作用するクラブの先端方向の打球面が凸面形状の先右開き面であるより凹曲面の左内向き形状である方が打球面が右開きになる程度が小さくなる事は明らかであり従って打球時ゴルフ球に右回転を生じさせスライス曲がりをする飛球が飛び出す確率を低くする事が出来る。【０００８】  又図４と図５はそれぞれ本考案の他の実施例と従来型のクラブヘッドのシャフト軸心に平行な図１におけるＢ−Ｂ矢視方向の断面図即ちクラブヘッドの縦方向の断面図であるが。  図５のように打球面が凸面形状であると、球が上部に当たった場合球は正面のロフト角よりも上開きになった打球面によって上向きに飛翔すると共に打球面の上開き角度が上部ほど大きい上に上部ほど打球による上方向の回転モーメントが大きい為更に打球面は上開き面になり従って打球には極端な上向き回転が付与され従って打球は上向き浮き上がるように飛翔することになる。  又球が下部に当たった場合はその逆に球が下向きに飛び出すと共に回転も下向き回転になる為更に下に曲がる飛翔球となる、即ち打球面が凸曲面であると打球は極端に拡散する傾向となる。【０００９】  これに対して図４の実施例のように上部はロフト角に沿った曲率の小さな平面で下方は緩やかな凹曲面であると、上方に当たった時も飛翔の方向性は正面中央に当たった場合と余り変化なく、下部に当たった場合下方向にひねりモーメントが作用して打球面が多少下に傾いても凸面の場合のように打球面が大きく下向きになる事はないので打球が大きく下向きに飛翔することはない。  従って打球面が凸面で成型されている場合に比して打球方向が上下に大きく拡散する事はない。【００１０】  即ち本考案を採用したウッド型クラブヘッドによれば、打球がスライス曲がりをする程度は少なくなり，又打球の飛翔方向もより正面に飛び易いクラブヘッドを得る事が出来る。
【図面の簡単な説明】
【００１１】
【図１】  ウッド型クラブヘッドの正面図である。
【図２】  従来のクラブヘッドのＡ−Ａ断面図と作用説明図である。
【図３】  本考案品クラブヘッドのＡ−Ａ断面図と作用説明図である。
【図４】  本考案品クラブヘッドのＢ−Ｂ断面図と作用説明図である。
【図５】  従来のクラブヘッドのＢ−Ｂ断面図と作用説明図である。
【符号の説明】
【００１２】１      クラブヘッド
２      打球面
３      ゴルフボール
４      移動位置
５      クラブシャフト
６      重心Ｇ
７      合力作用点０
８      シャフト軸心
９      打球方向線
１０    回転方向
１１    作図線
１２    慣性力ベクトルｉ
１３    加速力ベクトルｆ
１４    合力ベクトルｉ＋ｆ
１５    モーメント距離ｍ
１６    モーメント距離Ｌ
１７    ひねり角度ｂ
１８    打点Ｐ
１９    飛翔方向
２０    打球面接線
【図１】
0003111550.tif 000003
【図２】
0003111550.tif 000004
【図３】
0003111550.tif 000005
【図４】
0003111550.tif 000006
【図５】
0003111550.tif 000007